(57)【要約】【課題】専用の部品を用いることなくフリーフローを防止することができる輸液ポンプ装置を提供する。【解決手段】輸液ポンプ装置２は、ポンプフィンガー２０ｂとローラークレンメ１１との間で、輸液チューブ１０に加わる圧力を検知する圧力センサ２２と、検知圧力に基づいて輸液チューブ１０の開閉を判定するＣＰＵ２５と、輸液チューブ１０の開閉の判定を開始させる取り出しキーと、輸液チューブ１０が開放状態であるときに取り外し操作を禁止するロック機構２３とを備える。【選択図】図１
2016059535.tif 000002
【特許請求の範囲】
【請求項１】
輸液チューブのチューブ開閉部材の取り付け位置よりも上流側の部分に加圧送液部が取り付けられた輸液ポンプ装置であって、
前記加圧送液部と前記チューブ開閉部材との間で、前記輸液チューブ内の液体によって前記輸液チューブに加わる圧力を検知する圧力検知部と、
前記圧力検知部によって検知された圧力の変化に基づいて前記輸液チューブの開閉を判定するチューブ開閉判定部と、
操作者が操作することによって、前記チューブ開閉判定部に前記輸液チューブの開閉の判定を開始させる開閉判定指示部と、
前記チューブ開閉判定部によって前記輸液チューブが開放状態であると判定されたときに、前記輸液チューブの取り外し操作を禁止する取り外し禁止部とを備えることを特徴とする輸液ポンプ装置。
【請求項２】
請求項１に記載の輸液ポンプ装置であって、
前記チューブ開閉部材は、ローラークレンメであり、
前記チューブ開閉判定部は、輸液終了後に前記圧力検知部が検知した第１の圧力と前記開閉判定指示部を介して開閉判定指示がなされた後に前記圧力検知部が検知した第２の圧力とを比較することによって、前記輸液チューブの開閉を判定することを特徴とする輸液ポンプ装置。
【請求項３】
請求項１又は請求項２に記載の輸液ポンプ装置であって、
前記チューブ開閉判定部は、前記開閉判定指示部からの信号を受信した後に、前記加圧送液部に所定量の輸液を行わせ、該輸液の前後に前記圧力検知部が検知した圧力を比較することによって、前記輸液チューブの開閉を判定することを特徴とする輸液ポンプ装置。
【請求項４】
請求項１〜請求項３のいずれか１項に記載の輸液ポンプ装置であって、
前記取り外し禁止部の作動を操作者に報知する報知部を備えることを特徴とする輸液ポンプ装置。
【発明の詳細な説明】
【技術分野】
【０００１】
本発明は、チューブ開閉部材の取り付け位置よりも上流側の部分で輸液チューブを押圧して輸液を行う加圧送液部を有する輸液ポンプ装置に関する。
【背景技術】
【０００２】
従来、患者の体内に薬液等の輸液を行う際に、輸液速度を制御して定量的な輸液を行うために、輸液チューブと、その輸液チューブを押圧することによって輸液チューブを開閉するチューブ開閉部材とを有する輸液セット、及び、その輸液セットが取り付けられる輸液ポンプ装置が知られている。
【０００３】
そのような輸液ポンプ装置としては、例えば、装着された輸液チューブを押圧し蠕動させて輸液を行う加圧送液部を備え、その加圧送液部によって輸液速度を制御する装置が知られている（例えば、特許文献１参照。）。
【０００４】
ところで、この輸液セット及び輸液ポンプ装置では、輸液終了後に装着された輸液チューブを取り外す際に、クレンメ等のチューブ開閉部材によって輸液チューブが閉塞されていないと、開放状態の輸液チューブ内で薬液が重力により自然落下するフリーフローと呼ばれる現象が発生し、不要な薬液が患者の体内に流入するおそれがある。
【０００５】
そのようにして発生するフリーフローを防止するために、輸液チューブに装着することによって、輸液チューブを取り外す際に輸液チューブを押しつぶして閉塞するアタッチメントが知られている（例えば、特許文献２参照。）。
【先行技術文献】
【特許文献】
【０００６】
【特許文献１】特許第４３９４０７２号公報
【特許文献２】特開２００４−１４１４１８号公報
【発明の概要】
【発明が解決しようとする課題】
【０００７】
しかし、特許文献２に記載のアタッチメントのような部品を用いてフリーフローを防止するためには、そのアタッチメントを取り付けることのできる専用の輸液ポンプ装置が必要であった。
【０００８】
本発明は以上の点に鑑みてなされたものであり、専用の部品を用いることなくフリーフローを防止することができる輸液ポンプ装置を提供することを目的とする。
【課題を解決するための手段】
【０００９】
本発明の輸液ポンプ装置は、輸液チューブのチューブ開閉部材の取り付け位置よりも上流側の部分に加圧送液部が取り付けられた輸液ポンプ装置であって、加圧送液部とチューブ開閉部材との間で、輸液チューブ内の液体によって輸液チューブに加わる圧力を検知する圧力検知部と、圧力検知部によって検知された圧力の変化に基づいて輸液チューブの開閉を判定するチューブ開閉判定部と、操作者が操作することによって、チューブ開閉判定部に輸液チューブの開閉の判定を開始させる開閉判定指示部と、チューブ開閉判定部によって輸液チューブが開放状態であると判定されたときに、輸液チューブの取り外し操作を禁止する取り外し禁止部とを備えることを特徴とする。
【００１０】
このように、本発明の輸液ポンプ装置では、加圧送液部とチューブ開閉部材との間に設けられた圧力検知部が、輸液チューブ内の液体によって輸液チューブに加わる圧力の変化を検出し、チューブ開閉判定部が、その検出された圧力に基づいて、輸液チューブの開閉を判定する。そして、輸液チューブが開放状態であると判定されたときには、取り外し禁止部が輸液チューブの取り外し操作を禁止する。
【００１１】
そのため、本発明の輸液ポンプ装置によれば、輸液チューブが開放状態のときに操作者が輸液チューブを取り外してしまうことを防止することができるので、専用の部品を用いることなく、フリーフローを防止することができる。
【００１２】
また、本発明の輸液ポンプ装置においては、チューブ開閉部材は、ローラークレンメであり、チューブ開閉判定部は、輸液終了後に圧力検知部が検知した第１の圧力と開閉判定指示部を介して開閉判定指示がなされた後に圧力検知部が検知した第２の圧力とを比較することによって、輸液チューブの開閉を判定することが好ましい。
【００１３】
輸液チューブを閉塞するために一般的に用いられているローラークレンメは、ローラーを輸液チューブの軸に沿って移動させることによって、輸液チューブを締め付けて輸液チューブを閉塞する。そのため、輸液終了後（輸液チューブ内の液体の量が変化しない状態で）、ローラークレンメで輸液チューブが閉塞されると、輸液チューブが締め付けられて形状が変化して、輸液チューブ内の液体によって輸液チューブに加わる圧力が閉塞前の圧力と比較してわずかに変化する。
【００１４】
そこで、チューブ閉塞部がローラークレンメである場合には、輸液終了後に輸液チューブに加わる圧力とローラークレンメによる輸液チューブの閉塞後に輸液チューブに加わる圧力とを比較すれば、容易に輸液チューブの開閉を確認できるので、さらにフリーフローを防止しやすくなる。
【００１５】
また、本発明の輸液ポンプ装置においては、チューブ開閉判定部は、開閉判定指示部かを介して開閉判定指示がなされた後に、加圧送液部に所定量の輸液を行わせ、その輸液の前後に圧力検知部が検知した圧力を比較することによって、輸液チューブの開閉を判定することが好ましい。
【００１６】
例えば、輸液チューブに接続された輸液パックを交換する場合や患者が寝返りをうったとき等にも、その圧力が変化するおそれがある。そして、そのような圧力の変化を輸液チューブを閉塞したときの圧力の変化と誤認し、輸液チューブが閉塞されていない状態で、輸液チューブの取り外しが可能になってしまうおそれがある。
【００１７】
そこで、操作者が開閉判定指示部を介して開閉判定指示がなされたタイミングで加圧送液部に所定量の輸液を行わせるようにすれば、任意のタイミングで圧力検知部が検知可能な圧力変化を生じさせることができるので、未検出や誤判定を避けることができる。その結果、容易に輸液チューブの開閉を確認できるので、さらにフリーフローを防止しやすくなる。
【００１８】
また、本発明の輸液ポンプ装置においては、取り外し禁止部の作動を操作者に報知する報知部を備えることが好ましい。
【００１９】
このような報知部を備えれば、操作者に輸液チューブが閉塞されていないことが報知されるので、閉塞されていない状態で輸液チューブが取り外されることがより防止しやすくなり、さらにフリーフローを防止しやすくなる。
【図面の簡単な説明】
【００２０】
【図１】本発明の実施形態に係る輸液ポンプ装置の概略構成を示す斜視図。
【図２】図１の輸液ポンプ装置の取り外し禁止部の構成を示す断面図であり、２Ａは取り外しが禁止されている状態、２Ｂは取り外しの禁止が解除されている状態を示す。
【発明を実施するための形態】
【００２１】
以下、図面を参照して、本発明の実施形態を説明する。
【００２２】
図１に示すように、本実施形態の輸液セット１は、輸液チューブ１０と、その輸液チューブ１０を押圧することによって輸液チューブ１０を開閉するローラークレンメ１１（チューブ開閉部材）とを有している。
【００２３】
輸液ポンプ装置２は、輸液チューブ１０を収容する収容部２０と、収容部２０を開閉自在に閉蓋するドア２１（蓋部）と、収容部２０とローラークレンメ１１との間に配置された圧力センサ２２（圧力検知部）と、ドア２１の開閉を規制するロック機構２３（取り外し禁止部）と、操作者に輸液チューブ１０が閉塞されていないことを報知するためのランプ２４（報知部）と、圧力センサ２２に電気的に接続されたＣＰＵ２５（チューブ開閉判定部）とを備えている。
【００２４】
また、輸液ポンプ装置２は、輸液チューブ１０の取り外し操作の開始時に操作者が操作する不図示の取り出しキー（開閉判定指示部）と、輸液の開始及び停止を行うために操作者が操作する不図示の輸液制御キーとを備えている。
【００２５】
ローラークレンメ１１は、輸液チューブ１０を押圧するように輸液チューブ１０に沿って回転移動可能な流量調整ローラ１１ａを有している。流量調整ローラ１１ａが、輸液チューブ１０の下流側に移動するように操作されると、輸液チューブ１０を締め付けて輸液チューブ１０を閉塞し、輸液を阻止する。一方、流量調整ローラ１１ａが、輸液チューブ１０の上流側に移動するように操作されると、輸液チューブ１０の締め付けが解除されて輸液チューブ１０を開放され、輸液が可能となる。
【００２６】
収容部２０は、輸液チューブ１０を保持するためのチューブガイド２０ａと、ローラークレンメ１１の取り付け位置よりも上流側の部分で収容された輸液チューブ１０を押圧して輸液を行うポンプフィンガー２０ｂ（加圧送液部）を有している。また、収容部２０は、チューブガイド２０ａ及びポンプフィンガー２０ｂの側方に、ロック機構２３の一部を配置するための空洞部２０ｃが形成されている。
【００２７】
ポンプフィンガー２０ｂは、保持された輸液チューブ１０を押圧し蠕動させることによって、輸液チューブ１０内の液体を送液する。ポンプフィンガー２０ｂは、輸液制御キーからの信号又はＣＰＵ２５からの信号によって駆動が制御される。
【００２８】
なお、本実施形態では、加圧送液部としてポンプフィンガー２０ｂを用いているが、本発明の加圧送液部はこのような構成に限られるものではなく、ローラークレンメ１１等のチューブ開閉部材の上流側で閉塞可能な送液機構であればよい。例えば、ローラポンプ、ピストンポンプ、ベローズポンプ等を用いてもよい。
【００２９】
ドア２１は、後述するロック機構２３の作動時に、収容部２０を閉蓋した状態で固定される。そのため、ロック機構２３の作動時には、輸液チューブ１０の取り外し操作が禁止される。また、ドア２１は、ドア２１を閉じたときにポンプフィンガー２０ｂに対向する位置に、輸液チューブ１０を固定するためのチューブ押さえ２１ａを有している。また、ドア２１は、収容部２０の空洞部２０ｃに対応する位置に、ロック機構２３の開閉ハンドル２３ａに対応する幅で、表裏に貫通する開口部２１ｂが形成されている。
【００３０】
圧力センサ２２は、輸液チューブ１０内の液体によって輸液チューブ１０に加わる圧力を検知する。
【００３１】
ロック機構２３は、図２に示すように、ドア２１の開口部２１ｂの側壁に設けられた軸２６に回動自在に軸支された開閉ハンドル２３ａと、収容部２０の側壁に設けられた係合ピン２３ｂとを有している。開閉ハンドル２３ａは、閉鎖状態（取り外し禁止状態（図２Ａ参照））で、軸２６よりも収容部２０側になる位置に、係合ピン２３ｂと係合する案内カム溝２３ｃが形成されている。
【００３２】
案内カム溝２３ｃは、軸２６を中心とする円弧状に形成されている。また、開閉ハンドル２３ａのレバー部分とは反対側で、案内カム溝２３ｃの一方の端部は開放されており、その開放された端部から係合ピン２３ｂが進退自在となっている。
【００３３】
そのため、ドア２１の閉鎖状態（図２Ａ参照）において、開閉ハンドル２３ａを収容部２０から離間する方向（図２においては時計回り）に回動させると、係合ピン２３ｂに係合する案内カム溝２３ｃがドア２１を収容部２０から離間させる方向に移動させ（図２Ｂ参照）、ドア２１が開放状態（取り外し禁止が解除された状態）になる。その後、さらに開閉ハンドル２３ａを引くと、案内カム溝２３ｃから係合ピン２３ｂが脱して、ドア２１が完全に開放された状態になる。
【００３４】
また、ロック機構２３は、開閉ハンドル２３ａの案内カム溝２３ｃの閉塞された端部の外周側に形成された突起部２３ｄと、収容部２０の空洞部２０ｃに進退自在に配置されたラッチ２３ｅと、ラッチ２３ｅを空洞部２０ｃから突出する方向に付勢するスプリング２３ｆとを有している。ラッチ２３ｅは、不図示のソレノイドを作動させることによって、スプリング２３ｆの付勢力に抗して後退可能になっている。
【００３５】
輸液チューブ１０が開放された状態であるとＣＰＵ２５（チューブ開閉判定部）が判定した場合には、ソレノイドが作動せず、ラッチ２３ｅはスプリング２３ｆの付勢力によって、突出した状態のまま維持される。その結果、ラッチ２３ｅと突起部２３ｄとの係止状態が維持されるので、開閉ハンドル２３ａは回動が阻止され、ドア２１は開放が禁止される。
【００３６】
一方、輸液チューブ１０が閉塞された状態であるとＣＰＵ２５（チューブ開閉判定部）が判定した場合には、ソレノイドが作動し、ラッチ２３ｅはスプリング２３ｆの付勢力に抗して後退させられる。その結果、ラッチ２３ｅと突起部２３ｄとが係止が解除された状態になるので、開閉ハンドル２３ａは回動可能になり、ドア２１は開放可能になる。
【００３７】
なお、本実施形態では、取り外し禁止部として、ロック機構２３を用いているが、本発明の取り外し禁止部はこのような構成に限られるものではなく、輸液チューブ１０の取り外し操作を禁止することができるものであればよい。例えば、ドア２１の開閉を規制するものではなく、直接、輸液チューブ１０の保持状態を制御する機構でもよい。
【００３８】
ランプ２４は、電球、発光素子等で構成されており、光を発することによって操作者にロック機構２３が作動しているか否か、すなわち、輸液チューブ１０の開閉状態であるか否かを報知する。
【００３９】
なお、本実施形態では、報知部としてランプ２４を用いているが、本発明の報知部はこのような構成に限られるものではない。例えば、ブザー、電子音、音声等の音を用いたものでもよく、音と光とを併用するものでもよい。
【００４０】
ＣＰＵ２５は、圧力センサ２２が検知した圧力の変化に基づいて、輸液チューブ１０の開閉を判定する。この判定の結果、輸液チューブ１０が開放状態であると判定されたときには、ロック機構２３が作動し、輸液チューブ１０の取り外し操作が禁止される。
【００４１】
取り出しキー（不図示）は、操作者が操作することによって、ＣＰＵ２５に輸液チューブ１０の開閉の判定を開始させる信号を送信する。
【００４２】
また、本実施形態の輸液ポンプ装置２では、ロック機構２３の開閉ハンドル２３ａの突起部２３ｄをマグネットで形成し、ラッチ２３ｅを強磁性体で形成している。また、収容部２０の空洞部２０ｃは、ラッチ２３ｅが突出した状態でラッチ２３ｅのスプリング２３ｆ側の端部の側面に対応する位置に、磁気センサ２７が配置されている。
【００４３】
そのため、突起部２３ｄとラッチ２３ｅとが近接しているとき（図２Ａ参照）には、ラッチ２３ｅが突起部２３ｄの磁力により磁化されるので、磁気センサ２７がラッチ２３ｅの磁気を検知する。すなわち、磁気センサ２７によって、ドア２１の閉鎖を検出することができる。
【００４４】
一方、突起部２３ｄとラッチ２３ｅとが離間しているとき（図２Ｂ参照）には、ラッチ２３ｅが突起部２３ｄの磁力により磁化されることがない、又は、磁化されるとしてもわずかであるので、磁気センサ２７が磁気を検知しない。すなわち、磁気センサ２７によって、ドア２１の開放を検出することができる。
【００４５】
次に、輸液ポンプ装置２を用いて行われる輸液について説明する。
【００４６】
本実施形態の輸液ポンプ装置２を用いて輸液を行う場合、まず、操作者は、開閉ハンドル２３ａを操作してドア２１のロックを解除し、ドア２１を開く。その後、操作者は、輸液チューブ１０をチューブガイド２０ａに緩みがないように把持させて装着し、輸液チューブ１０を収容部２０に収容する。さらにその後、操作者は、ドア２１を閉じ、開閉ハンドル２３ａを操作してドア２１をロックする。
【００４７】
このとき、輸液チューブ１０は、ポンプフィンガー２０ｂとチューブ押さえ２１ａとに押圧されて、少なくとも一部が閉塞された状態になる。そのため、このとき、ローラークレンメ１１によって輸液チューブ１０が閉塞されていない状態になっても、フリーフローは生じない。
【００４８】
次に、操作者は、ローラークレンメ１１により輸液チューブ１０が開放されているときはそのまま、輸液チューブ１０が閉塞されている場合には開放した後、輸液制御キーを操作して、ポンプフィンガー２０ｂを駆動して輸液を開始する。
【００４９】
次に、操作者は、輸液制御キーを操作して、ポンプフィンガー２０ｂの駆動を停止し、輸液を終了する（すなわち、輸液チューブ１０内の液体の量が変化しない状態にする。）。このとき、圧力センサ２２は、輸液チューブ１０内の液体によって輸液チューブ１０に加わる圧力を検出し、ＣＰＵ２５に送信する。そして、ＣＰＵ２５は、その圧力を第１の圧力として記憶する。
【００５０】
次に、操作者は、ローラークレンメ１１の流量調整ローラ１１ａを、輸液チューブ１０の下流側に移動するように操作して、輸液チューブ１０を閉塞する。
【００５１】
このとき、ローラークレンメ１１によって輸液チューブ１０が閉塞されているのであれば、輸液チューブ１０内の液体によって輸液チューブ１０に加わる圧力は、閉塞前の圧力と比較してわずかに変化する。これは、輸液終了後においては、輸液チューブ１０のポンプフィンガー２０ｂによる閉塞部とローラークレンメ１１による閉塞部との間に貯留される薬液量が一定であるのに対し、その間の輸液チューブ１０の内容積が、ローラークレンメ１１の流量調整ローラ１１ａの移動によってわずかに変化するためである。
【００５２】
次に、操作者は、取り出しキー（開閉判定指示部）を押す。このとき、圧力センサ２２は、輸液チューブ１０内の液体によって輸液チューブ１０に加わる圧力を検出し、ＣＰＵ２５に送信する。そして、ＣＰＵ２５は、その圧力を第２の圧力として記憶する。
【００５３】
次に、ＣＰＵ２５は、第１の圧力と第２の圧力とを比較し、それらの圧力の差が所定値以上の大きさの場合には、輸液チューブ１０が閉塞状態であると判定する（第１の判定手法による判定）。一方、それらの圧力の差がない、又は、所定値未満の大きさの場合には、輸液チューブ１０が開放状態であると判定する。
【００５４】
次に、圧力センサ２２は、輸液チューブ１０内の液体によって輸液チューブ１０に加わる圧力を検出し、ＣＰＵ２５に送信する。そして、ＣＰＵ２５は、その圧力を第３の圧力として記憶する。
【００５５】
次に、ＣＰＵ２５は、ポンプフィンガー２０ｂを駆動し、所定量の輸液を行う。このとき、ローラークレンメ１１によって輸液チューブ１０が閉塞されているのであれば、輸液チューブ１０内の液体によって輸液チューブ１０に加わる圧力は、閉塞前の圧力と比較して所定量の輸液が行われたことによって、変化する。
【００５６】
なお、この際、輸液チューブ１０が開放されたままであると、患者に対し過剰な輸液が行われることが懸念される。しかし、輸液チューブ１０が閉塞されている場合に、圧力センサ２２で検知される圧力を検知の容易な１気圧以上とするために必要とされる輸液量は、０．８ｍｌ程度であるので、仮に輸液チューブ１０が開放されていたとしても、患者に対し過剰な輸液が行われることはない。
【００５７】
次に、圧力センサ２２は、輸液チューブ１０内の液体によって輸液チューブ１０に加わる圧力を検出し、ＣＰＵ２５に送信する。そして、ＣＰＵ２５は、その圧力を第４の圧力として記憶する。
【００５８】
次に、ＣＰＵ２５は、第３の圧力と第４の圧力とを比較し、それらの圧力の差が所定値以上の大きさの場合には、輸液チューブ１０が閉塞状態であると判定する（第２の判定手法による判定）。一方、それらの圧力の差がない、又は、所定値未満の大きさの場合には、輸液チューブ１０が開放状態であると判定する。
【００５９】
第１の判定手法及び第２の判定手法によって、輸液チューブ１０が閉鎖されていると判定された場合、ＣＰＵ２５は、不図示のソレノイドを作動させて、ラッチ２３ｅをスプリング２３ｆの付勢力に抗して後退させる。その結果、ラッチ２３ｅと突起部２３ｄとが係止が解除された状態になるので、開閉ハンドル２３ａは回動可能になり、ドア２１は開放可能になる。したがって、操作者が、輸液ポンプ装置２から輸液チューブ１０を取り外すことができるようになる。
【００６０】
一方、第１の判定手法又は第２の判定手法によって、輸液チューブ１０が開放されていると判定された場合、ＣＰＵ２５は、不図示のソレノイドを作動させずに、ラッチ２３ｅを突出した状態のまま維持する。その結果、ラッチ２３ｅと突起部２３ｄとの係止状態が維持されるので、開閉ハンドル２３ａは回動が阻止され、ドア２１は開放が禁止される。したがって、輸液チューブ１０の取り外しが阻止されるので、フリーフローの発生が防止される。
【００６１】
上記のように、本実施形態の輸液ポンプ装置２では、ポンプフィンガー２０ｂ（加圧送液部）とローラークレンメ１１（チューブ開閉部材）との間に設けられた圧力センサ２２（圧力検知部）が、輸液チューブ１０内の液体によって輸液チューブ１０に加わる圧力の変化を検出し、ＣＰＵ２５（チューブ開閉判定部）が、その検出された圧力（第１〜第４の圧力）に基づいて、輸液チューブ１０の開閉を判定する。そして、輸液チューブ１０が開放状態であると判定されたときには、ロック機構２３（取り外し禁止部）が輸液チューブ１０の取り外し操作を禁止する。
【００６２】
そのため、本実施形態の輸液ポンプ装置２によれば、輸液チューブ１０が開放状態のときに操作者が輸液チューブ１０を取り外してしまうことを防止することができるので、専用の部品を用いることなく、フリーフローを防止することができる。
【００６３】
以上、図示の実施形態について説明したが、本発明はこのような形態に限られるものではない。
【００６４】
上記実施形態においては、輸液終了後に検出した第１の圧力と輸液チューブ１０の閉塞後に検出した第２の圧力とを比較する判定手法（第１の判定手法）を行った後、所定量の輸液を行う前に検出した第３の圧力と所定量の輸液を行った後に検出した第４の圧力とを比較する判定手法（第２の判定手法）を併用して、輸液チューブ１０の開閉を判定している。しかし、本発明の輸液ポンプ装置は、必ずしも２種類の判定手法を併用する必要はない。
【００６５】
例えば、第１の判定手法のみ、又は、第２の判定手法のみによって、輸液チューブ１０の開閉を判定してもよい。なお、第２の判定手法のみを用いる場合には、ローラークレンメを用いることによって圧力の変化を生じさせる必要がないので、チューブ開閉部材として、ローラークレンメ以外の装置を用いてもよい。
【００６６】
また、上記実施形態においては、操作者が、開閉判定指示部である取り出しキーを操作することによって、輸液チューブ１０の開閉の判定が開始されるように構成されている。しかし、本発明の輸液ポンプ装置は、必ずしも開閉判定指示部を介して操作者が指示をした後に輸液チューブの開閉を判定するものである必要はない。
【００６７】
例えば、輸液制御キーによって輸液が終了させられた後には、輸液チューブに加わる圧力（第１の圧力）を検出し続け、その後、ローラークレンメで輸液チューブを閉塞したことによって、その圧力に変化が生じたとき（すなわち、第２の圧力を検出した場合）に、自動的に取り外し禁止部による取り出しの禁止が解除されるように構成してもよい。
【００６８】
なお、このような構成にした場合には、取り出しの禁止が解除されるとともに、報知部を介して、操作者にローラークレンメによる閉塞が行われていることを報知するようにすることが好ましい。報知部が閉塞を報知するように構成すれば、その報知が行われないことによって操作者にローラークレンメの閉め忘れを気づかせることができるので、フリーフローを防止しやすくなる。
【符号の説明】
【００６９】
１…輸液セット、２…輸液ポンプ装置、１０…輸液チューブ、１１…ローラークレンメ（チューブ開閉部材）、１１ａ…流量調整ローラ、２０…収容部、２０ａ…チューブガイド、２０ｂ…ポンプフィンガー（加圧送液部）、２０ｃ…空洞部、２１…ドア（蓋部）、２１ａ…チューブ押さえ、２１ｂ…開口部、２２…圧力センサ（圧力検知部）、２３…ロック機構（取り外し禁止部）、２３ａ…開閉ハンドル、２３ｂ…係合ピン、２３ｃ…案内カム溝、２３ｄ…突起部、２３ｅ…ラッチ、２３ｆ…スプリング、２４…ランプ（報知部）、２５…ＣＰＵ（チューブ開閉判定部）、２６…軸、２７…磁気センサ。
【図１】
2016059535.tif 000003
【図２】
2016059535.tif 000004